(57)【要約】      （修正有）【課題】災害現場等の緊急時に、携帯機器を用いることで、簡易な操作により安否確認用プリントを作成できるようにする。【解決手段】携帯電話とプリンタとを接続し、携帯電話を安否確認モードに遷移させる（ステップＳ１０）。そして、安否確認対象者を携帯電話のアドレス帳から選択すると、このアドレス帳の情報の中より、後述するテンプレートに合成するために必要な情報を自動的に抽出する（ステップＳ１２、１４）。ユーザが入力したユーザ入力情報を入力する（ステップＳ１６、１８）。所有者情報の中から、合成に必要な情報を自動的に抽出する（ステップＳ２０）。そしてその合成情報（アドレス帳情報、ユーザ入力情報、所有者情報等）を、予め用意したテンプレートに配置することで合成を行い、出力データを作成する（ステップＳ２２）。その出力データをプリンタに送信し、プリントする（ステップＳ２８、３０，３２，３４）。【選択図】図３
2008205643.tif 000002
【特許請求の範囲】
【請求項１】
安否確認を行う安否確認モードに遷移させる手段と、
アドレス帳を保持する手段と、
前記アドレス帳の中から所望の対象を選択するアドレス帳選択手段と、
前記安否確認モードが設定され、かつ前記アドレス帳選択手段によって所望の対象が選択されると、前記選択されたアドレス帳の情報の中から少なくとも名前と画像を抽出する抽出手段と、
所有者情報を保持する手段と、
前記抽出手段によって抽出された少なくとも名前と画像と前記保持された所有者情報を合成し出力データを作成する出力データ作成手段と、
前記作成された出力データを出力する手段と、
を備えたことを特徴とする携帯機器。
【請求項２】
安否確認を行う安否確認モードに遷移させる手段と、
アドレス帳を保持する手段と、
前記アドレス帳の中から所望の対象を選択する第一の選択手段と、
安否確認モードが設定され、かつ前記アドレス帳選択手段によって所望の対象が選択されると、前記選択されたアドレス帳の情報の中から少なくとも名前を抽出する抽出手段と、
画像を保持する手段と、
前記保持された画像から所望の画像を選択する第二の選択手段と、
所有者情報を保持する手段と、
前記抽出手段によって抽出された少なくとも名前と安否確認モード時に第二の選択手段によって選択された画像と前記保持された所有者情報を合成し出力データを作成する出力データ作成手段と、
前記作成された出力データを出力する手段と、
を備えたことを特徴とする携帯機器。
【請求項３】
前記抽出手段は、アドレス帳の中から年齢、生年月日等のプロフィールを抽出し、
前記出力データ作成手段は、前記抽出されたプロフィールを合成し、出力データを作成することを特徴とする請求項１又は２に記載の携帯機器。
【請求項４】
文字、記号等の入力を行う入力手段を備え、
前記出力データ作成手段は、安否確認モード時に、前記入力手段より入力された文字、記号等を合成し、出力データを作成することを特徴とする請求項１から３のいずれかに記載の携帯機器。
【請求項５】
前記出力データ作成手段は、画像と、名前、所有者情報を含む２組以上の文字列とを安否確認用のテンプレートに配置することで合成を行うことを特徴とする請求項１から４のいずれかに記載の携帯機器。
【請求項６】
前記出力データ作成手段は、安否確認用のテンプレートに配置する文字列を基に、全ての文字列を配置可能な最適な安否確認用のテンプレートを選択する手段を有することを特徴とする請求項５に記載の携帯機器。
【請求項７】
外部機器からアドレス帳の情報及び外部機器の所有者情報を取得する取得手段と、
安否確認を行う安否確認モードに遷移させる手段と、
前記安否確認モードが設定され、かつアドレス帳の情報を取得すると、そのアドレス帳の情報の中から少なくとも名前と画像を抽出する抽出手段と、
前記抽出手段によって抽出された少なくとも名前と画像と安否確認モード時に取得した所有者情報を合成し出力データを作成する出力データ作成手段と、
前記作成された出力データをプリントする手段と、
を備えたことを特徴とするプリンタ。
【請求項８】
外部機器からアドレス帳の情報、画像及び外部機器の所有者情報を取得する取得手段と、
安否確認を行う安否確認モードに遷移させる手段と、
前記安否確認モードが設定され、かつアドレス帳の情報を取得すると、そのアドレス帳の情報の中から少なくとも名前を抽出する抽出手段と、
前記抽出手段によって抽出された少なくとも名前と安否確認モード時に取得した画像と所有者情報を合成し出力データを作成する出力データ作成手段と、
前記作成された出力データをプリントする手段と、
を備えたことを特徴とするプリンタ。
【請求項９】
前記抽出手段は、アドレス帳の中から年齢、生年月日等のプロフィールを抽出し、
前記出力データ作成手段は、前記抽出されたプロフィールを合成し、出力データを作成することを特徴とする請求項７又は８に記載のプリンタ。
【請求項１０】
前記取得手段は、文字、記号等の入力手段を備えた外部機器より入力された文字、記号等を取得し、
前記出力データ作成手段は、安否確認モード時に、前記取得手段より取得した文字、記号等を合成し、出力データを作成することを特徴とする請求項７から９のいずれかに記載のプリンタ。
【請求項１１】
文字、記号等の入力を行う入力手段を備え、
前記出力データ作成手段は、安否確認モード時に、前記入力手段より入力された文字、記号等を合成し、出力データを作成することを特徴とする請求項７から１０のいずれかに記載のプリンタ。
【請求項１２】
前記出力データ作成手段は、画像と、名前、所有者情報を含む２組以上の文字列とを安否確認用のテンプレートに配置することで合成を行うことを特徴とする請求項７から１１のいずれかに記載のプリンタ。
【請求項１３】
前記出力データ作成手段は、安否確認用のテンプレートに配置する文字列を基に、全ての文字列を配置可能な最適な安否確認用のテンプレートを選択する手段を有することを特徴とする請求項１２に記載のプリンタ。
【発明の詳細な説明】
【技術分野】
【０００１】
本発明は携帯機器及びプリンタに係り、特に災害現場等の緊急時に簡易に安否確認用プリントを作成することを提供する携帯機器及びプリンタに関する。
【背景技術】
【０００２】
一般に、携帯電話などの携帯機器に保存された画像や文字等を、携帯機器からのプリント信号に応じて画像をプリントすることができる。
【０００３】
また、特許文献１に、携帯電話で、操作者の所望する画像情報と文字情報を合成し、その結果得られた文字入り画像ディジタル情報を、携帯電話と接続した携帯プリンタから印刷出力することが出来る携帯電話及び携帯プリンタが開示されている。
【特許文献１】特開２００４−５６４８０号公報
【発明の開示】
【発明が解決しようとする課題】
【０００４】
従来、携帯電話等の携帯機器において、既存のアドレス帳の情報に基づいてプリントデータを作成するという機能や、災害現場等の緊急時に、簡易な操作で安否確認用プリントを作成するという機能は持ち合わせていない。
【０００５】
このため、災害現場等の緊急時において、安否確認用プリントを作成するには、手作業で台紙に写真プリントを貼り付け、必要な文字を書き込む作業を行ったり、画像と文字情報とを編集してプリント出力データを作成する複雑な操作を必要としたり、他の機器で作成した画像が必要になる等の煩雑な方法で行う必要があった。
【０００６】
本発明はこのような事情に鑑みてなされたもので、簡易な操作で安否確認プリントを作成することができる携帯機器及びプリンタを提供することを目的とする。
【課題を解決するための手段】
【０００７】
前記目的を達成するために、本願請求項１に係る携帯機器は、安否確認を行う安否確認モードに遷移させる手段と、アドレス帳を保持する手段と、前記アドレス帳の中から所望の対象を選択するアドレス帳選択手段と、前記安否確認モードが設定され、かつ前記アドレス帳選択手段によって所望の対象が選択されると、前記選択されたアドレス帳の情報の中から少なくとも名前と画像を抽出する抽出手段と、所有者情報を保持する手段と、前記抽出手段によって抽出された少なくとも名前と画像と前記保持された所有者情報を合成し出力データを作成する出力データ作成手段と、前記作成された出力データを出力する手段と、を備えたことを特徴としている。
【０００８】
請求項１に係る発明によれば、携帯機器を安否確認モードとし、その携帯機器が有しているアドレス帳から安否確認の対象を選択することで、安否確認対象の名前、画像（例えば、アドレス帳に登録されている顔画像など）、及び携帯機器の所有者情報（連絡先情報）が合成された出力データを自動的に作成することができ、この出力データをプリンタに出力することにより、簡易な操作で安否確認プリントを得ることが可能となる。
【０００９】
請求項２に係る携帯機器は、安否確認を行う安否確認モードに遷移させる手段と、アドレス帳を保持する手段と、前記アドレス帳の中から所望の対象を選択する第一の選択手段と、安否確認モードが設定され、かつ前記アドレス帳選択手段によって所望の対象が選択されると、前記選択されたアドレス帳の情報の中から少なくとも名前を抽出する抽出手段と、画像を保持する手段と、前記保持された画像から所望の画像を選択する第二の選択手段と、所有者情報を保持する手段と、前記抽出手段によって抽出された少なくとも名前と安否確認モード時に第二の選択手段によって選択された画像と前記保持された所有者情報を合成し出力データを作成する出力データ作成手段と、前記作成された出力データを出力する手段と、を備えたことを特徴としている。
【００１０】
請求項１に係る発明は、安否確認プリントに使用する画像をアドレス帳の情報に基づいて取得するようにしたが、請求項２に係る発明は、携帯機器に保存されている画像から利用者が適宜選択する点で、請求項１に係る発明と相違する。
【００１１】
請求項３に示す携帯機器の前記抽出手段は、アドレス帳の中から年齢、生年月日等のプロフィールを抽出することを含み、前記出力データ作成手段は、前記抽出されたプロフィール情報も合成し、出力データを作成することを特徴としている。
【００１２】
請求項４に係る携帯機器は、文字、記号等の入力を行う入力手段を備え、前記出力データ作成手段は、安否確認モード時に、前記入力手段より入力された文字、記号等を合成し、出力データを作成することを特徴としている。
【００１３】
請求項５に示す携帯機器の前記出力データ作成手段は、画像と、名前、所有者情報を含む２組以上の文字列とを安否確認用のテンプレートに配置することで合成を行うことを特徴としている。
【００１４】
請求項６に示す携帯機器の前記出力データ作成手段は、安否確認用のテンプレートに配置する文字列を基に、全ての文字列を配置可能な最適な安否確認用のテンプレートを選択する手段を有することを特徴としている。
【００１５】
前記目的を達成するために、本願請求項７に係るプリンタは、外部機器からアドレス帳の情報及び外部機器の所有者情報を取得する取得手段と、安否確認を行う安否確認モードに遷移させる手段と、前記安否確認モードが設定され、かつアドレス帳の情報を取得すると、そのアドレス帳の情報の中から少なくとも名前と画像を抽出する抽出手段と、前記抽出手段によって抽出された少なくとも名前と画像と安否確認モード時に取得した所有者情報を合成し出力データを作成する出力データ作成手段と、前記作成された出力データをプリントする手段と、を備えたことを特徴としている。
【００１６】
請求項７に係る発明によれば、プリンタを安否確認モードとし、この安否確認モード時に外部機器から安否確認対象のアドレス帳の情報、及び外部機器の所有者情報を取得すると、安否確認対象の名前、画像及び外部機器の所有者情報（連絡先情報）が合成された出力データを自動的に作成し、この作成した出力データをプリント出力することにより、簡易な操作で安否確認プリントを得ることが可能となる。
【００１７】
請求項８に係るプリンタは、外部機器からアドレス帳の情報、画像及び外部機器の所有者情報を取得する取得手段と、安否確認を行う安否確認モードに遷移させる手段と、前記安否確認モードが設定され、かつアドレス帳の情報を取得すると、そのアドレス帳の情報の中から少なくとも名前を抽出する抽出手段と、前記抽出手段によって抽出された少なくとも名前と安否確認モード時に取得した画像と所有者情報を合成し出力データを作成する出力データ作成手段と、前記作成された出力データをプリントする手段と、を備えたことを特徴としている。
【００１８】
請求項７に係る発明は、安否確認プリントに使用する画像をアドレス帳の情報に基づいて取得するようにしたが、請求項８に係る発明は、アドレス帳の情報とは別に外部機器から画像を取得する点で、請求項７に係る発明と相違する。
【００１９】
請求項９に示すプリンタの前記抽出手段は、アドレス帳の中から年齢、生年月日等のプロフィールを抽出し、前記出力データ作成手段は、前記抽出されたプロフィールを合成し、出力データを作成することを特徴としている。
【００２０】
請求項１０に示すプリンタの前記取得手段は、文字、記号等の入力手段を備えた外部機器より入力された文字、記号等を取得し、前記出力データ作成手段は、安否確認モード時に、前記取得手段より取得した文字、記号等を合成し、出力データを作成することを特徴としている。
【００２１】
請求項１１に係るプリンタは、文字、記号等の入力を行う入力手段を備え、前記出力データ作成手段は、安否確認モード時に、前記入力手段より入力された文字、記号等を合成し、出力データを作成することを特徴としている。
【００２２】
請求項１２に示すプリンタの前記出力データ作成手段は、画像と、名前、所有者情報を含む２組以上の文字列とを安否確認用のテンプレートに配置することで合成を行うことを特徴としている。
【００２３】
請求項１３に示すプリンタの前記出力データ作成手段は、安否確認用のテンプレートに配置する文字列を基に、全ての文字列を配置可能な最適な安否確認用のテンプレートを選択する手段を有することを特徴としている。
【発明の効果】
【００２４】
本発明によれば、災害現場等の緊急時において、手作業や複雑な操作や、他の機器で作成した画像が必要になる等の煩雑な操作ではなく、簡易な操作で、安否確認用プリントが得られ、また単に画像をプリントするだけでなく安否確認に必要なメッセージを合成することができる。
【発明を実施するための最良の形態】
【００２５】
以下添付図面に従って本発明に係る携帯機器及びプリンタの好ましい実施の形態について詳説する。
【００２６】
図１は、本発明が適用されるシステムの概略図である。同図に示すように、このシステムは、携帯電話１００（２００）とプリンタ３００（４００）とから構成されている。尚、携帯電話１００（２００）は、プリンタ３００（４００）と通信ケーブルなどの有線による通信や無線通信（近距離及び低消費電力の通信を目的としたブルートゥース（Bluetooth）（登録商標）規格の無線通信、E-mail、赤外線通信等）によって接続されるようになっている。また、携帯電話１００（２００）とプリンタ３００（４００）とが、ダイレクトに相互のコネクタによって接続できるようにしてもよい。
【００２７】
尚、図１では、後述するように、本発明に係る携帯電話１００と通常のプリンタ３００との組み合わせからなるシステムと、通常の携帯電話２００と本発明に係るプリンタ４００との組み合わせからなるシステムとを示している。
【００２８】
「第一実施形態」
図２は第一実施形態に係る携帯電話１００の内部構成を示す要部ブロック図である。同図に示すように、携帯電話１００は、主としてアンテナ１０２と接続される送受信回路１１４と、スピーカ１０４、各種の操作ボタン１０６及びマイク１０８と接続されるＩ／Ｏポート１１６と、ＬＣＤ１１０に文字、画像等を表示させるための画像データを記憶するフレームメモリ１１８と、電話番号、文字、画像の指定等を行うための各種の操作ボタン１０６と、データ通信用のコネクタ１１２に接続されるＩ／Ｏポート１２０と、デジタルカメラとして機能する撮像部１２１と、カレンダ／時計部１２２と、フラッシュメモリやＥＥＰＲＯＭ等の不揮発性メモリ１２４と、システムメモリ１２６と、各回路を統括・制御する中央処理装置（ＣＰＵ）１２８とから構成されている。
【００２９】
不揮発性メモリ１２４は、アドレス帳、メモ及びメールなどの文字データや、着信画像、受信した画像等の画像データを記憶保持できるようになっている。システムメモリ１２６は、携帯電話での各種の動作を制御するためのプログラム等を予め記憶しているＲＯＭと、演算処理や画像処理等に際してデータを一時的に保持するＲＡＭとから構成されている。
【００３０】
ＣＰＵ１２８は、操作ボタン１０６での各種の操作に基づいてシステムメモリ１２６に記憶されたプログラムにしたがって処理を実行し、アンテナ１０２及び送受信回路１１４を介して音声、文字及び画像を送受信したり、必要な通信情報、画像及び文字等をＬＣＤ１１０に表示させるために画像データをフレームメモリ１１８に記憶させ、また、コネクタ１１２及びＩ／Ｏポート１２０を介して該コネクタ１１２と接続される外部機器との間で文字及び画像等のデータの授受を行う。
【００３１】
プリンタ３００は、携帯電話１００から画像を受信し、その画像データに基づいてプリント紙に画像をプリントできるものであればいかなるものでもよく、既存のプリンタを使用することが出来る。
【００３２】
次に、図３に示すフローチャートを参照しながら、第一実施形態の処理の流れを説明する。
【００３３】
まず、安否確認モードに遷移するために、携帯電話１００のメニューボタンを押し、安否確認モードメニューを選択する（ステップＳ１０）。尚、携帯電話１００のアドレス帳には、データ通信、撮像部１２１、操作ボタン１０６等を通じて通話相手となる人物の名前とともに、名前に関連付けて電話番号、住所、人物の顔画像、年齢、生年月日、趣味等のプロフィールの情報が登録されているものとする。また、プリンタ３００は、安否確認モードメニューを選択する前に携帯電話と接続してもよいし、プリント直前に接続してもよい。また、外部機器より安否確認モードに遷移するように指示するデータを携帯電話１００が受信することで、安否確認モードに遷移するようにしてもよい。
【００３４】
上記携帯電話１００において、安否確認モードメニューが選択されると、携帯電話１００のＬＣＤ１１０には、例えば図４に示すような安否確認対象を選択するためのアドレス帳検索画面が表示され、表示画面を見ながらオンスクリーン対話方式で所望の連絡先を選択する（ステップＳ１２）。尚、携帯電話１００が一つの連絡先のみを保持している場合には、上記安否確認対象の選択操作は省略される。また、アドレス帳を先に表示し、そこで安否確認対象を選択した上で、安否確認モードを選択するという流れにしてもよい。
【００３５】
次に、上記選択された安否確認対象のアドレス帳（図５に示すような確認対象者毎のＩＤ番号、氏名、年齢、電話番号、住所、画像ファイル名、メモ情報等）を参照し、このアドレス帳の中から後述するテンプレートに合成するために必要な情報を自動的に抽出する（ステップＳ１４）。尚、図５に示すようなアドレス帳の情報のうち、必ずしもすべてがそろっていなくても構わない。また、上記選択された安否確認対象のアドレス帳に画像がもし無かった場合は、携帯電話１００に含まれている画像を選択できるように、画像選択手段を追加してもよい。
【００３６】
次に、操作者に操作ボタン１０６を用いて、例えば図６のように自由にコメントを入力してもらう（ステップＳ１６）。尚、自由コメント不要の場合は、省略してもよい。入力してもらった情報はテンプレートに合成する情報として参照される（ステップＳ１８）。
【００３７】
ここで、操作者の情報、即ち図７に示す所有者情報を参照し、テンプレートに合成するために必要な情報を抽出する（ステップＳ２０）。この所有者情報は、予め、携帯電話１００に保存されていてもよいし、操作ボタンを用いて入力してもよい。また、表示させたい所有者情報の内容を選択するようにしてもよい。
【００３８】
上記より自動的に抽出され、又は入力されたテンプレートに合成する合成情報（具体的には、確認対象のアドレス帳情報、自由コメント情報、所有者情報等）より、テンプレートにそれぞれの情報を配置していく（ステップＳ２２）。
【００３９】
一例を挙げると、図８に示すテンプレートは、「尋ね人」の文字情報と、合成情報が配置される領域Ａ〜Ｅとを有しており、このテンプレートのＡ：安否確認対象の画像、Ｂ：氏名、Ｃ：年齢、Ｄ：自由コメント文、Ｅ：所有者情報を配置する。また、所有者情報を表す二次元バーコード作成手段を設け、その作成手段によって作成された二次元バーコードを所有者情報に追加して表示または、二次元バーコードのみ表示という形式にしてもよい。また、前記合成情報の種類に応じて、最適なテンプレートを自動的に選んでもよいし、操作者に選ばせてもよい。また、合成処理完了後、操作者に配置を自由に移動させてもらうようにしてもよい。尚、テンプレートは、不揮発性メモリ１２４、システムメモリ１２６等に予め格納されているものとする。
【００４０】
上記合成処理後、出力データを例えば、図９のような出力プレビューとしてＬＣＤ１１０に表示する（ステップＳ２４）。そこで、操作者が、ＯＫならプリンタ３００へ出力データを送信する指示を行い（ステップＳ２６、Ｓ２８）、プリンタ３００へ出力データを送信する（ステップＳ３０）。また、ＮＧなら確認対象選択（ステップＳ１２）へ戻る（ステップＳ２６）。
【００４１】
プリンタ３００は、携帯電話１００より送信された出力データを受信する（ステップＳ３２）。そしてプリンタ３００は、受信した出力データを基に、プリント出力を行う（ステップＳ３４）。尚、出力データを受信する外部機器は、プリンタに限定するものではなく、液晶ディスプレイ等の表示機器であってもよい。
【００４２】
「第二実施形態」
図１０は第二実施形態に係るプリンタ４００の内部構成を示す要部ブロック図である。このプリンタ４００と、有線又は無線通信によって接続される携帯電話２００は、アドレス帳の情報、画像及び所有者情報等を送信することが出来る既存の携帯電話を使用することが出来る。同図に示すようにプリンタ４００には、スマートメディア、メモリースティック、コンパクトフラッシュ（登録商標）などの記録メディアが挿入されるメディア挿入口４０２及びメディア・インターフェース４０４と、タッチパネル付きモニタ４０６と、携帯電話２００との間で必要な情報を送受信することが可能な通信回線インターフェース４０８とが設けられている。
【００４３】
前記タッチパネル付きモニタ４０６には、メディア挿入口４０２に挿入された記録メディアに記録されている画像や携帯電話２００から受信したアドレス帳の情報、画像及び所有者情報等や、タッチパネルで操作するための操作ボタン等が表示される。
【００４４】
また、プリンタ４００には、プリンタ４００の全体の制御を行う中央処理装置（ＣＰＵ）４１０と、ＣＰＵ４１０を動作させるプログラム等が書き込まれているＲＯＭとＣＰＵ４１０が処理を実行する際の作業領域となるＲＡＭとから構成されるシステムメモリ４１２と、携帯電話２００より受信したアドレス帳、所有者情報、メモ、画像やテンプレート等を記憶保持できるようになっている不揮発性メモリ４１４、タッチパネル付きモニタ４０６に表示する情報を出力する表示コントローラ４１６と、タッチパネル付きモニタ４０６を用いてユーザが入力する文字、記号及びプリントしたい枚数（デフォルトは１枚）などのプリント設定情報等を入力する入力コントローラ４１８とが設けられている。
【００４５】
また、プリンタ４００には、メディア挿入口４０２に挿入された記録メディアや携帯電話２００から受信した画像やアドレス帳、所有者情報等の情報を用いて後述する合成処理を行った後の出力データやプリント設定情報等を一時的に格納するストレージ４２０と、プリント設定情報に基づいてストレージ４２０に格納された出力データや画像等をプリントするプリントエンジン４２２とが設けられている。
【００４６】
次に、図１１に示すフローチャートを参照しながら、第二実施形態の処理の流れを説明する。
【００４７】
まず、プリンタ４００を安否確認モードに遷移させるため、プリンタ４００のメニューボタンを押し、安否確認モードを選択する（ステップＳ４０）。
【００４８】
上記プリンタ４００において、安否確認モードメニューが選択され、プリンタ４００が安否確認モードに遷移すると、携帯電話２００から、安否確認対象のアドレス帳（図５に示すような確認対象者毎のＩＤ番号、氏名、年齢、電話番号、住所、画像ファイル名、メモ情報等）、所有者情報、操作者が携帯電話２００の操作ボタンを用いて、自由にコメントを入力したユーザ入力情報をプリンタ４００に、送信する（ステップＳ４２）。尚、携帯電話２００には、アドレス帳、所有者情報が登録されているものとする。ここでのアドレス帳には、名前に関連付けて電話番号、住所、人物の顔画像、年齢、生年月日、趣味等のプロフィールの情報が登録されているものとする。また、ユーザ入力情報に関しては、プリンタ４００のタッチパネル付きモニタ４０６から入力してもよいし、安否確認対象のアドレス帳のメモ欄に記入することで代用してもよいし、不要の場合は、なくてもよい。
【００４９】
そして、プリンタ４００は、携帯電話２００から送信された安否確認対象のアドレス帳、所有者情報、操作者が入力したユーザ入力情報を受信する（ステップＳ４４）。
【００５０】
上記受信した安否確認対象のアドレス帳（図５に示すような確認対象者毎のＩＤ番号、氏名、年齢、電話番号、住所、画像ファイル名、メモ情報等）を参照し、このアドレス帳の中から後述するテンプレートに合成するために必要な情報を自動的に抽出する（ステップＳ４６）。尚、図５に示すようなアドレス帳の情報のうち、必ずしもすべてがそろっていなくても構わない。また、上記選択された安否確認対象のアドレス帳に画像がもし無かった場合は、携帯電話等の外部機器から画像を送信するように要求し、画像を受信できる状態にする手段を追加してもよい。
【００５１】
次に、上記受信したユーザ入力情報はテンプレートに合成する情報として参照される（ステップＳ４８）。尚、自由コメント不要の場合は、省略してもよい。
【００５２】
そして、操作者の情報、即ち図７に示すような所有者情報を参照し、テンプレートに合成するための情報を抽出する（ステップＳ５０）。また、最終的に表示させたい所有者情報の内容を選択するようにしてもよい。
【００５３】
上記より自動的に抽出され、又は入力されたテンプレートに合成する合成情報（具体的には、確認対象のアドレス帳情報、ユーザ入力情報、所有者情報等）より、テンプレートにそれぞれの情報を配置していく（ステップＳ５２）。一例を挙げると、図８に示すテンプレートのＡ：安否確認対象の画像、Ｂ：氏名、Ｃ：年齢、Ｄ：自由コメント文、Ｅ：所有者情報を配置する。また、所有者情報を表す二次元バーコード作成手段を設け、その作成手段によって作成された二次元バーコードを所有者情報に追加して表示または、二次元バーコードのみ表示という形式にしてもよい。また、前記合成情報の種類に応じて、最適なテンプレートを自動的に選んでもよいし、操作者に選ばせてもよい。また、合成処理完了後、操作者に配置を自由に移動させてもらうようにしてもよい。尚、テンプレートは、システムメモリ４１２、不揮発性メモリ４１４等に予め格納されているものとする。
【００５４】
上記合成処理後、出力データを例えば、図９のような出力プレビューとしてＬＣＤ４０６に表示する（ステップＳ５４）。そこで、操作者が、ＯＫなら確定操作を行い、出力データが一時的にストレージ４２０に格納される（ステップＳ５６）。
【００５５】
そして、タッチパネル付きモニタ４０６を用いて操作者がプリントしたい枚数等のプリント設定情報を入力する。そして、前記プリント設定情報は、一時的にストレージ４２０に格納される（ステップ５８）。
【００５６】
そして、操作者が、プリント出力指示を行うことで（ステップＳ６０）、ストレージ４２０に一時的に格納された出力データやプリント設定情報に基づいてプリントエンジン４２２によりプリントが実行され、プリント出力される（ステップＳ６２）。
【００５７】
上記の実施形態では、携帯電話側に安否確認モードがある場合とプリンタ側に安否確認モードがある場合の２つの実施形態を示したが、これらに限られるものではなく、携帯電話側、プリンタ側双方に安否確認モードがあるという構成にしてもよい。
【図面の簡単な説明】
【００５８】
【図１】図１は、本発明のシステムの概要を説明するために用いた概念図である。
【図２】図２は、本発明に係る携帯電話の内部構成を示す要部ブロック図である。
【図３】図３は、本システムの第一実施形態の処理の流れを示すフローチャートである。
【図４】図４は、確認対象選択時の画面遷移の一例を示す図である。
【図５】図５は、本発明に係る携帯機器の連絡先情報のデータ形式を示すブロック図である。
【図６】図６は、情報入力時の情報入力画面の一例を示す図である。
【図７】図７は、所有者情報の一例を示す図である。
【図８】図８は、テンプレートの一例を示す図である。
【図９】図９は、本発明のシステムで得られる安否確認用プリントの一例を示す図である。
【図１０】図１０は、本発明に係るプリント端末装置の内部構成を示す要部ブロック図である。
【図１１】図１１は、本システムの第二実施形態の処理の流れを示すフローチャートである。
【符号の説明】
【００５９】
１００、２００…携帯電話、１０１…アンテナ、１０４…スピーカ、１０６…操作ボタン、１０８…マイク、１１０…ＬＣＤ、１１２…コネクタ、１１４…送受信回路、１１６、１２０…Ｉ／Ｏポート、１１８…フレームメモリ、１２１…撮像部、１２２…カレンダ及び時計、１２４、４１４…不揮発性メモリ、１２６、４１２…システムメモリ、１２８、４１０…ＣＰＵ、３００、４００…プリンタ、４０２…メディア挿入口、４０４…メディア・インターフェース、４０６…タッチパネル付きモニタ、４０８…通信回線インターフェース、４１６…表示コントローラ、４１８…入力コントローラ、４２０…ストレージ、４２２…プリントエンジン
【図１】
2008205643.tif 000003
【図２】
2008205643.tif 000004
【図３】
2008205643.tif 000005
【図４】
2008205643.tif 000006
【図５】
2008205643.tif 000007
【図６】
2008205643.tif 000008
【図７】
2008205643.tif 000009
【図８】
2008205643.tif 000010
【図９】
2008205643.tif 000011
【図１０】
2008205643.tif 000012
【図１１】
2008205643.tif 000013